(57)【要約】【課題】  フェライト部材の寸法のばらつきによってフェライト部材がガタついてしまうことを防止し、フェライト部材を収納部内に安定して保持することができる電気的接続装置を提供する。【解決手段】  接続用コネクタ要素１２には、一対の接続端子１１・１１及びフェライト部材１４を保持する収納部２０と、収納部２０の内部側に突設されるテーパ状部分２４ａを有するとともにフェライト部材１４の肩部１４ｃに対してテーパ状部分２４ａが係止するロック部２３とが設けられている。接続用コネクタ要素１２は、被接続用コネクタ要素２に形成されている開口部３に嵌挿される。カバー要素１３は、収納部２０の上部開口を覆って接続端子１１及びフェライト部材１４を挟むように接続用コネクタ要素１２に嵌合される。カバー要素１３は、ロック部２４と肩部１４ｃとの係止が解除される方向におけるロック部２４の移動を規制する。【選択図】図１１
2005100670.tif 000002
【特許請求の範囲】
【請求項１】
一対の被接続端子を支持する被接続用コネクタ要素に対して接続される電気的接続装置であって、
前記一対の被接続端子に電気的に接続される一対の接続端子が挿通される一対の貫通孔が形成されているフェライト部材と、
前記一対の接続端子及び前記フェライト部材を保持する収納部と、前記収納部の内部側に突設されるテーパ状部分を有するとともに収納された前記フェライト部材の肩部に対して前記テーパ状部分が係止するロック部とを有し、前記被接続用コネクタ要素に形成されている開口部に対して嵌挿される接続用コネクタ要素と、
前記接続端子及び前記フェライト部材が挿入される前記収納部の上部開口を覆って前記接続端子及び前記フェライト部材を挟むように前記接続用コネクタ要素に対して嵌合されるとともに、前記ロック部と前記肩部との係止が解除される方向における前記ロック部の移動を規制するカバー要素と、
を備えていることを特徴とする電気的接続装置。
【請求項２】
前記カバー要素における前記ロック部の移動を規制する規制部には、前記カバー要素が前記接続用コネクタ要素に嵌合されたときに前記ロック部を前記肩部と係止し合う方向に押圧する凸部が設けられていることを特徴とする請求項１に記載の電気的接続装置。
【請求項３】
前記ロック部は、前記接続用コネクタ要素における前記収納部を形成する外周壁の一部を形成するように上部側に向かって延設される可撓部に設けられていることを特徴とする請求項１又は請求項２に記載の電気的接続装置。
【請求項４】
前記フェライト部材は、周囲側面に平面状に形成されている部分を備えていることを特徴とする請求項１〜請求項３のいずれか１項に記載の電気的接続装置。
【発明の詳細な説明】
【技術分野】
【０００１】
本発明は、一対の接続端子及びフェライト部材を保持する接続用コネクタ要素とこの接続用コネクタ要素に嵌合されるカバー要素とを備え、一対の被接続端子を支持する被接続用コネクタ要素に対して接続される電気的接続装置に関する。
【背景技術】
【０００２】
従来、一対の接続端子及びフェライト部材を保持する接続用コネクタ要素とこの接続用コネクタ要素に嵌合されるカバー要素とを備え、一対の被接続端子を支持する被接続用コネクタ要素に対して接続される電気的接続装置が知られている（例えば、特許文献１参照）。特許文献１に記載の電気的接続装置は、自動車用エアバックガス発生器の起爆装置の点火回路を実現するためにソケットコネクタに接続するプラグコネクタである。この電気的接続装置は、コネクタハウジング（接続用コネクタ要素）と、コネクタカバー（カバー要素）と、一対の電気コンタクト（一対の接続端子）と、電磁波ノイズの吸収手段としてのフェライト部品（フェライト部材）とを備えている。そして、電気コンタクト及びフェライト部品がコネクタハウジングの内部キャビティー（収納部）に収納された状態でコネクタハウジングにコネクタカバーが嵌合し、プラグコネクタとして一体化される。内部キャビティー内に収納されるフェライト部品には一対の出っ張りが形成されており、フェライト部品が内部キャビティーに収納されたときにこの一対の出っ張りが内部キャビティーに突設された一対のクリップと係止するようになっている。これにより、フェライト部品が内部キャビティー内で保持されるようになっている。なお、一体化されたプラグコネクタは、ソケットコネクタ（被接続用コネクタ要素）に形成されているソケットキャビティー（開口部）に嵌挿されてソケットコネクタと電気的及び機械的に接続される。
【０００３】
【特許文献１】特開２００２−３３１５３号公報（第６頁、第１図）
【発明の開示】
【発明が解決しようとする課題】
【０００４】
特許文献１に記載の電気的接続装置では、フェライト部材（フェライト部品）は、接続用コネクタ要素（コネクタハウジング）の収納部（内部キャビティー）に対して、フェライト部材の出っ張りと収納部のクリップとが係止することで保持される。しかしながら、フェライト部材の寸法のばらつきによっては、フェライト部材の出っ張りと収納部のクリップとの間に僅かな隙間が生じる場合があり得る。その場合、フェライト部材が収納部内でガタついてしまい、安定して支持されないため、ノイズ除去性能が低下し易いという問題がある。
【０００５】
本発明は、上記実情に鑑みることにより、フェライト部材の寸法のばらつきによってフェライト部材がガタついてしまうことを防止し、フェライト部材を収納部内に安定して保持することができる電気的接続装置を提供することを目的とする。
【課題を解決するための手段及び効果】
【０００６】
本発明は、一対の被接続端子を支持する被接続用コネクタ要素に対して接続される電気的接続装置に関する。
そして、本発明は、上記目的を達成するために以下のようないくつかの特徴を有している。即ち、本発明は、以下の特徴を単独で、もしくは、適宜組み合して備えている。
【０００７】
上記目的を達成するための本発明の電気的接続装置における第１の特徴は、前記一対の被接続端子に電気的に接続される一対の接続端子が挿通される一対の貫通孔が形成されているフェライト部材と、前記一対の接続端子及び前記フェライト部材を保持する収納部と、前記収納部の内部側に突設されるテーパ状部分を有するとともに収納された前記フェライト部材の肩部に対して前記テーパ状部分が係止するロック部とを有し、前記被接続用コネクタ要素に形成されている開口部に対して嵌挿される接続用コネクタ要素と、前記接続端子及び前記フェライト部材が挿入される前記収納部の上部開口を覆って前記接続端子及び前記フェライト部材を挟むように前記接続用コネクタ要素に対して嵌合されるとともに、前記ロック部と前記肩部との係止が解除される方向における前記ロック部の移動を規制するカバー要素と、を備えていることである。
【０００８】
この構成によれば、収納部内に収納されたフェライト部材の肩部に対して接続用コネクタ要素のロック部がそのテーパ状部分で係止するとともに、接続用コネクタ要素にカバー要素が嵌合することでロック部と肩部との係止解除方向のロック部の移動が規制される。このため、フェライト部材の寸法のばらつきがあっても、フェライト部材の肩部がテーパ状部分で収納部内に押し付けられるようにして保持され、寸法のばらつきを吸収することができる。従って、フェライト部材がガタついてしまうことを防止し、フェライト部材を収納部内に安定して保持することができる。
【０００９】
本発明の電気的接続装置における第２の特徴は、前記カバー要素における前記ロック部の移動を規制する規制部には、前記カバー要素が前記接続用コネクタ要素に嵌合されたときに前記ロック部を前記肩部と係止し合う方向に押圧する凸部が設けられていることを特徴とする。
【００１０】
この構成によれば、カバー要素を嵌合したときに、規制部に設けた凸部によって、ロック部を肩部と係止し合う方向に付勢することができ、フェライト部材が収納部内でガタついてしまうことを確実に防止できる。
【００１１】
本発明の電気的接続装置における第３の特徴は、前記ロック部が、前記接続用コネクタ要素における前記収納部を形成する外周壁の一部を形成するように上部側に向かって延設される可撓部に設けられていることである。
【００１２】
この構成によれば、カバー要素が嵌合することでフェライト部材の肩部に対して押し付けられるようにして係止するロック部を容易に形成することができる。
【００１３】
本発明の電気的接続装置における第４の特徴は、前記フェライト部材が、周囲側面に平面状に形成されている部分を備えていることである。
【００１４】
この構成によれば、平面状に形成されている部分が対向する収納部の内周も平面状に形成することで、平面同士で当接させることができ、フェライト部材を収納部内に安定して保持できる。
【発明を実施するための最良の形態】
【００１５】
以下、本発明を実施するための最良の形態について図面を参照しつつ説明する。なお、本発明は、自動車用エアバックシステムにおいてガス発生器に通電して着火するスクイブ用の電気的接続装置として適用される場合に適しており、この場合の実施形態について説明するが、より広範な適用が可能であり、多くの異なる環境及び各種の目的に適用することができるものである。
【００１６】
図１は、本発明の実施形態に係る電気的接続装置１を上側から見た斜視図であり、図２は、電気的接続装置１の上下を逆にした（底部を上側にした）状態での斜視図である。また、図３は、電気的接続装置１を被接続用コネクタ要素２に嵌合して接続した状態を示した平面図であり、図４は、電気的接続装置１の分解斜視図である。
【００１７】
図１〜４に示すように、電気的接続装置１は、ソケットの形態の被接続用コネクタ要素２に対して接続されるプラグの形態として構成されている。電気的接続装置１内に支持される一対の接続端子１１・１１に一端側が接続される導線１０・１０は、その他端側が図示しないエアバック制御システムに接続されている。そして、被接続用コネクタ要素２は、図示しないエアバック着火装置（スクイブ）の一部として備えられている。電気的接続装置１が被接続用コネクタ要素２に嵌合されることで、電気的接続装置１と被接続用コネクタ要素２とが、機械的且つ電気的に接続される。即ち、電気的接続装置１と被接続用コネクタ要素２とが係合するとともに、一対の接続端子１１・１１と、被接続用コネクタ要素２に支持される一対の被接続端子とが接触した状態となる。スクイブは、電気的接続装置１が被接続用コネクタ要素２に接続された状態で、エアバック制御システムからの指令に基づいて十分な電気エネルギが導線１０・１０を介して付与されることで燃焼する。この燃焼により、ガス発生材料が着火されて、エアバックが展開することになる。
【００１８】
なお、被接続用コネクタ要素２の形状は、規格により定められている。図１３は、ＶＤＡ−ＬＴタイプと呼ばれる規格の被接続用コネクタ要素２を例示しており、図１３（ａ）はこの被接続用コネクタ要素２に電気的接続装置１が接続された状態を示す断面図、図１３（ｂ）は被接続用コネクタ要素２の平面図を示したものである。被接続用コネクタ要素２には、電気的接続装置１が嵌合される（電気的接続装置１を受け入れる）開口部３が形成され、開口部３内では、一対の接続端子１１・１１が接続される一対の被接続端子（ピン）４・４が支持されている。なお、開口部３の形状は、規格により異なっている。
【００１９】
図４において、電気的接続装置１は、一対の接続端子１１・１１、接続用コネクタ要素（プラグハウジング）１２、カバー要素（カバーハウジング）１３、及びフェライト部材１４を備えている。一対の接続端子１１・１１は、略Ｌ字状に形成されており、接続端子１１の導線側端部１１ａは、被覆導線１０の一端側に設けられた裸端部１０ａと圧着される。一方、接続端子１１の接続側端部１１ｂは、フェライト部材１４に挿入され、電気的接続装置１が被接続用コネクタ要素２に接続されることで被接続用コネクタ要素２に支持される被接続端子４と接続されることになる。
【００２０】
フェライト部材１４は、電磁波ノイズの除去手段として電気的接続装置１に組み込まれるものである。車両に構築されたエアバックシステムにおいて、電線や車内の各種電子機器、ラジオや携帯電話など、外部からの種々の電磁波によってノイズ電流がスクイブに流れて誤爆が発生してしまうことがフェライト部材１４によるノイズ除去機能によって防止される。図５は、このフェライト部材１４を横向きにして示した斜視図である。フェライト部材１４には、一対の接続端子１１の接続側端部１１ｂがそれぞれ挿通される一対の貫通孔１４ａが形成されている。また、フェライト部材１４は、周囲側面に平面状に形成されている部分１４ｂ（以下、平面状部分１４ｂという）を備えている。平面状部分１４ｂ・１４ｂ（一方のみ図示）は長辺側の側面をそれぞれ形成している。
【００２１】
接続用コネクタ要素１２は、例えば、非導電性の樹脂材料で形成されており、一対の接続端子１１・１１及びフェライト部材１４を支持するとともに（図４参照）、被接続用コネクタ要素２の開口部３に対して嵌挿されるものである。図６及び図７は接続用コネクタ要素１２の斜視図であって、図６は上側から見た図、図７は上下を逆にした（底部を上側にした）図である。図６及び図７に示すように、接続用コネクタ要素１２は、その下部側に設けられる円板状の底部１５と、底部１５から立設される略円柱状の筒部１６と、筒部１６の上部から垂直に突出して設けられる突設部１７とを備えている。
【００２２】
底部１５には、一対の貫通孔１８・１８が形成されている。貫通孔１８・１８には、電気的接続装置１を被接続用コネクタ要素２に嵌合した際に被接続端子４・４がそれぞれ貫入されることになる。また、底部１５には、複数のスリット１９が設けられている。このスリット１９を設けることで、電気的接続装置１を開口部３に嵌挿する際に底部１５の変形を許容し易くなり、接続用コネクタ要素１２の嵌挿が容易になる。
【００２３】
筒部１６には、一対の接続端子１１・１１及びフェライト部材１４を保持する収納部２０が外周壁２１によって形成されている。また、外周壁２１の上部には、一対のスリット２２・２２が、収納部２０をその長辺方向に挟んで対向する２箇所の位置に設けられ、これにより、２つの可撓部２３が形成されている。即ち、外周壁２１の一部を形成するように上部側に向かって一対の可撓部２３が延設されている。この一対の可撓部２３には、それぞれロック部２４が設けられている。ロック部２４は、収納部２０の内部側に突設されるテーパ状部分２４ａを有している。テーパ状部分２４ａは、ロック部２４の下部側に設けられており、このテーパ状部分２４ａが、収納部２０内に収納されるフェライト部材１４の肩部１４ｃ（図５参照）に対して係止するようになっている。
【００２４】
また、外周壁２１の内周には、フェライト部材１４の平面状部分１４ｂと対向する位置に平面状の面３１が形成されている。これにより、面３１とフェライト部材１４の平面状部分１４ｂとを平面同士で当接させることができ、フェライト部材１４を収納部２０内に安定して保持できる。また、外周壁２１における突設部１７とは反対側には、上下方向に溝２５が形成されている。この溝２５が、カバー要素１３の嵌合時にカバー要素１３に形成された条部と嵌め合うようになっている。
【００２５】
突設部１７には、挿入される一対の接続端子１１・１１の導線側端部１１ａが嵌め込まれる一対の端子支持部２６・２６が形成されている。即ち、一対の接続端子１１・１１は、その導線側端部１１ａが端子支持部２６で支持され、接続側端部１１ｂが収納部２０内に収納されるフェライト部材１４の貫通孔１４ａで支持される。突設部１７の端部２７には、導線１０・１０を通すための溝２８・２８が、端子支持部２６・２６に連なって設けられている。また、突設部１７には、幅方向（一対の端子支持部２６・２６が並ぶ方向）の両側に係止凸部２９が設けられている。この係止凸部２９は、接続用コネクタ要素１２にカバー要素１３が嵌合されたときに、カバー要素１３側に設けられた係止凹部と係合する。
【００２６】
また、突設部１７の下部側であって突設部１７の筒部１６への付根部分には、半円柱状の凸状部３０が形成されている。凸状部３０は、接続用コネクタ要素１２が嵌挿されたときに被接続用コネクタ要素２に対して接続用コネクタ要素１２を嵌挿した状態で回転させる方向において被接続用コネクタ要素２の開口部３と係止するものである。なお、凸状部３０が設けられた接続用コネクタ要素１２は、ＶＤＡ−ＬＴタイプやＶＤＡ−ＫＴタイプの被接続用コネクタ要素に対して嵌挿される。図１３に示すように、ＶＤＡ−ＬＴタイプの被接続用コネクタ要素２の開口部３の縁部分には、半円柱状の凸状部３０と係止する半円形状の凹状部６が形成されている。一対の接続端子１１・１１と一対の被接続端子４・４とが適正に接続されて電気的接続装置１と被接続用コネクタ要素２とが嵌合した状態では、凸状部３０と凹状部６とが前述の回転方向において係止するため、電気的接続装置１の回転防止を図ることができる。なお、この回転防止機構は、凹凸が逆の関係であってもよい。即ち、接続用コネクタ要素１２に凹状部が設けられ、被接続用コネクタ要素に凸状部が設けられているものであってもよい。
【００２７】
カバー要素１３は、接続端子１１及びフェライト部材１４が挿入される収納部２０の上部開口（収納部２０の上方の開口部分）及び端子支持部２６の上部開口（端子接続部２６の上方の開口部分）を覆うとともに、その上部開口から挿入された接続端子１１及びフェライト部材１４を接続用コネクタ要素１２との間で挟むようにして接続用コネクタ要素１２に対して嵌合される（図４参照）。このカバー要素１３は、例えば、非導電性の樹脂材料で形成されている。図８及び図９はカバー要素１３の斜視図であって、図８は上側から見た図、図９は上下を逆にした図である。図８及び図９に示すように、カバー要素１３は、その上部側に設けられて収納部２０及び端子支持部２６の上部開口を覆うための蓋部３２と、蓋部３２から下部側に向かって延設される周壁３３とを備えている。
【００２８】
蓋部３２は、収納部２０の上部開口を覆う前方蓋部分３４と、端子支持部２６の上部開口を覆う後方蓋部分３５とで構成されている。前方蓋部分３４には、幅方向の両側に突部３６・３６が形成されている。このように、カバー要素１３の上部側に突部３６・３６を設けることで、電気的接続装置１と被接続用コネクタ要素２とが適切に嵌合しているかどうかのチェックが容易になる。即ち、カバー要素１３と接続用コネクタ要素１２とを開口部３に嵌挿して電気的接続装置１を被接続用コネクタ要素２に接続したときに、カバー要素１３の上部側に形成した突部３６に指を掛けて力を加えてみることで適切に嵌合しているかどうかを容易に確認することができる。
【００２９】
また、前方蓋部分３４の下面側には、フェライト押さえ部３７、一対の端子押さえ部３８・３８が形成されている。フェライト押さえ部３７は、カバー要素１３が接続用コネクタ要素１２に嵌合された状態で収納部２０に収納されたフェライト部材１４の上部と対向する位置に設けられ、フェライト部材１４の上下方向の移動を規制するようになっている。一対の端子押さえ部３８・３８は、一対の接続端子１１・１１の接続側端部１１ｂの上部と対向する位置に設けられ、接続端子１１の上下方向の移動を規制するようになっている。
【００３０】
後方蓋部分３５には、幅方向両側から下方に向かってそれぞれ突出する突設部４０・４０が設けられている。突設部４０には、接続用コネクタ要素１２の突設部１７の幅方向両側に設けられた係止凸部２９と係合する係止凹部４１がそれぞれ設けられている。即ち、係止凸部２９と係止凹部４１とが係合することでカバー要素１３が接続用コネクタ要素１２に対して嵌合される。
【００３１】
また、後方蓋部分３５における接続用コネクタ要素１２の溝２８に対応する部分には、導線押さえ部４２が突出して形成されている。また、蓋部３２には、複数のスリット４３が設けられている。このスリット４３を設けることで、電気的接続装置１を開口部３に嵌挿する際に蓋部３２の変形を許容し易くなり、カバー要素１３の嵌挿が容易になる。
【００３２】
なお、カバー要素１３の後方蓋部分３５及び接続用コネクタ要素１２の突設部１７は、図３に示すように平面視で被接続用コネクタ要素２の外径内に収まるように短く形成されている。これにより、エアバック展開時の爆風による抵抗を避けることができるようになっている。
【００３３】
図８、９において、周壁３３は、接続用コネクタ要素１２の外周壁２１を覆うように前方蓋部分３４から下部側に向かって延設されている。このため、カバー要素１３を接続用コネクタ要素１２に嵌合することで、外周壁２１の一部を形成している可撓部２３が外側に向かって広がる方向に撓むことが規制される。これにより、可撓部２３に設けられて収納部２０の内部側に突出したロック部２３とフェライト部材１４の肩部１４ｃとの係止が解除される方向（可撓部２３が外側に向かって広がる方向）におけるロック部２３の移動が規制されることになる。即ち、周壁３３は、カバー要素１３におけるロック部２４の移動を規制する規制部を構成している。
【００３４】
周壁３３によって構成される上記規制部には、カバー要素１３が接続用コネクタ要素１２に嵌合されたときにロック部２４をフェライト部材１４の肩部１４ｃと係止し合う方向に押圧する凸部（リブ）３９が設けられている。凸部３９は、周壁３３の内側で後方蓋部分３５に対する付根部分に設けられている。そして、幅方向の両側に設けられており、カバー要素１３の嵌合時に、接続用コネクタ要素１２の幅方向両側に設けられた可撓部２３に当接するようになっている。即ち、凸部３９が可撓部２３に当接することで、ロック部２４がフェライト部材１４の肩部１４ｃと係止し合う方向に押圧されることになる。
【００３５】
また、周壁３３の外周には、外側に向かって突出する突出部４４が形成されている。突出部４４は、カバー要素１３が接続用コネクタ要素１２とともに開口部３に嵌挿されたときに開口部３に形成されている凹部５と係合する（図１３参照）。この突出部４４は周壁３３の周囲に沿って配置されており、カバー要素１３の幅方向の両側及び前方の３箇所にそれぞれ連続して形成された突出部４４が設けられている。また、突出部４４は、カバー要素１３の上部側に向かって広がるように形成されている。
【００３６】
また、周壁３３の内側の前方には、上下方向に条部４５が形成されている。条部４５は、カバー要素１３を接続用コネクタ要素１２に嵌合する際に、接続用コネクタ要素１２の筒部１６の外周壁２１に形成された溝２５とスライドしながら嵌め合うようになっている。
【００３７】
図１０は、上述した構成部品で電気的接続装置１を組み立てる工程について説明する斜視図である。まず、図１０（ａ）に示すように、接続用コネクタ要素１２における筒部１６の収納部２０内にフェライト部材１４を挿入する。収納部２０内に挿入されたフェライト部材１４は、接続用コネクタ要素１２に支持されることになる。なお、フェライト部材１４は、平面状部分１４ｂ・１４ｂが外周壁２１の内周の平面状に形成された面３１・３１（一方のみ図示）と摺接するようにして、収納部２０内に挿入され、収納部２０内にて前後方向（平面状部分１４ｂと面３１とが対向する方向）において安定して保持される。
【００３８】
フェライト部材１４を接続用コネクタ要素１２内に支持した後、図１０（ｂ）に示すように、導線側端部１１ａが導線１０の裸端部１０ａに圧着されている一対の接続端子１１を収納部２０及び端子支持部２６の上部開口から挿入する。このとき、接続端子１１の導線側端部１１ａは端子支持部２６内に嵌め込まれるように収納されて支持される。そして、接続端子１１の接続側端部１１ｂは、フェライト部材１４に形成された貫通孔１４ａに挿入されて支持される。
【００３９】
一対の接続端子１１を挿入した後は、図１０（ｃ）に示すように、カバー要素１３を接続用コネクタ要素１２の上方から嵌め込んでいき、カバー要素１３と接続用コネクタ要素１２とを嵌合する。カバー要素１３の嵌合時は、カバー要素１３の周壁３３が接続用コネクタ要素１２の筒部１６の外周壁２１を覆っていくとともに、カバー要素１３の条部４５が接続用コネクタ要素１２の溝２５と摺動しながら嵌め合っていくことになる。そして、カバー要素１３の幅方向両側に設けられた突設部４０の係止凹部４１が、接続用コネクタ要素１２の突設部１７の幅方向両側に設けられた係止凸部２９と係合することで、カバー要素１３と接続用コネクタ要素１２との嵌合が完了する。これにより、図１０（ｄ）に示すような電気的接続装置１の組立体が得られる。
【００４０】
図１１は、組み立てられた電気的接続装置１の幅方向断面図であって、フェライト部材１４の収納状態を説明する図である。接続用コネクタ要素１２の収納部２０内に収納されたフェライト部材１４は、両方の肩部１４ｃが、外周壁２１の上部の可撓部２３に形成されたロック部２４と係止している。即ち、肩部１４ｃは、収納部２０の内部側に突設されているロック部２４のテーパ状部分２４ａと係止している。そして、嵌合されたカバー要素１３の周壁（規制部）３３によって、ロック部２４と肩部１４ｃとの係止解除方向のロック部２４の移動が規制されている。このためフェライト部材１４の寸法のばらつきがあっても、肩部１４ｃがテーパ状部分２４ａで収納部２０内に押し付けられるようにして保持され、寸法のばらつきを吸収することができる。
【００４１】
また、カバー要素１３の周壁３３に設けられた凸部３９は、ロック部２４を肩部１４ｃと係止し合う方向に押圧している。このため、この凸部３９によってロック部２４を肩部１４ｃに向かって当接させた状態で付勢することができ、フェライト部材１４が収納部２０内でガタついてしまうことを確実に防止できる。
【００４２】
図１２は、電気的接続装置１を被接続用コネクタ要素２に接続した状態を示す縦断面図であって、接続端子１１と平行な面における断面図である。組み立てられた電気的接続装置１は、被接続用コネクタ要素２の開口部３に嵌挿される。このとき、凸部４４が、開口部３の縁部分と当接して一旦内側に撓む。開口部３には、周方向に凹部５が形成されており、電気的接続装置１が開口部３の奥まで嵌挿されると、一端撓んだ凸部４４が凹部５のところまで移動し、弾性回復して凹部５と係合する。これにより、電気的接続装置１と被接続用コネクタ要素２との機械的な接続（嵌合）が完了する。また、嵌合完了時は、電気的接続装置１側の一対の接続端子１１の接続側端部１１ｂ内に被接続用コネクタ要素２側の一対の被接続端子４がそれぞれ挿入されて接触し、スクイブに通電可能な状態になっている（電気的に接続されている）。
【００４３】
以上説明した電気的接続装置１によると、フェライト部材１４の肩部１４ｃに対して接続用コネクタ要素１２のロック部２４がそのテーパ状部分２４ａで係止するとともに、カバー要素１３の嵌合によりロック部２４と肩部１４ｃとの係止解除方向のロック部２４の移動が規制される。このため、フェライト部材１４の寸法のばらつきがあっても、肩部１４ｃがテーパ状部分２４ａで収納部２０内に押し付けられるようにして保持され、寸法のばらつきを吸収することができる。即ち、フェライト部材１４がガタついてしまうことを防止し、フェライト部材１４を収納部２０内に安定して保持することができる。そして、これによって、フェライト部材の寸法のばらつきがあっても、ガタツキによるノイズ除去性能の低下を招くことを防止できる。また、規制部３３に設けた凸部３９によって、ロック部２４を肩部１４ｃと係止し合う方向に付勢することができ、フェライト部材１４が収納部２０内でガタついてしまうことを確実に防止できる。また、外周壁２１の一部である可撓部２３にロック部２４を設けることで、カバー要素１３が嵌合することで肩部１４ｃに対して押し付けられるようにして係止するロック部２４を容易に形成することができる。また、可撓部２３は、周壁３３にスリット２２を設けるだけで容易に形成することができ、スリット深さ（上下方向のスリット長さ）を変更することで、可撓性を容易に調整することができる。
【００４４】
以上、本発明の実施形態について説明したが、本発明は上述の実施の形態に限られるものではなく、特許請求の範囲に記載した限りにおいて様々な設計変更が可能なものである。例えば、次のように変更して実施してもよい。
【００４５】
（１）規制部となる周壁には、ロック部をフェライト部材の肩部と係止し合う方向に押圧する凸部が設けられていなくてもよい。この場合、接続用コネクタ要素の外周壁とカバー要素の周壁との間の隙間は狭く設定されることが望ましい。なお、凸部の位置及び形状は、実施形態のものに限られず、種々変更し得る。
【００４６】
（２）接続用コネクタ要素の外周壁には、その一部を形成するように上部側に向かって延設される可撓部が設けられていなくてもよい。なお、可撓部の位置及び形状は、実施形態のものに限られず、種々変更し得る。
【００４７】
（３）フェライト部材は、周囲側面に平面状に形成されている部分を備えていなくてもよい。この場合、収納部の内周とフェライト部材の周囲側面との間の隙間が狭くなるように設定されることが望ましい。
【図面の簡単な説明】
【００４８】
【図１】本発明の一実施形態に係る電気的接続装置を例示した斜視図である。
【図２】図１に示す電気的接続装置の上下を逆にした状態での斜視図である。
【図３】図１に示す電気的接続装置を被接続用コネクタ要素に嵌合して接続した状態を示した平面図である。
【図４】図１に示す電気的接続装置の分解斜視図である。
【図５】図４に示す電気的接続装置におけるフェライト部材の斜視図である。
【図６】図４に示す電気的接続装置における接続用コネクタ要素の斜視図である。
【図７】図５に示す接続用コネクタ要素の上下を逆にした状態での斜視図である。
【図８】図４に示す電気的接続装置におけるカバー要素の斜視図である。
【図９】図８に示すカバー要素の上下を逆にした状態での斜視図である。
【図１０】図１に示す電気的接続装置の組立工程を説明する斜視図である。
【図１１】図１に示す電気的接続装置の幅方向断面図である。
【図１２】図１に示す電気的接続装置を被接続用コネクタ要素に接続した状態を示す縦断面図である。
【図１３】ＶＤＡ−ＬＴタイプの被接続用コネクタ要素に電気的接続装置が接続された状態を示す断面図、及びその被接続用コネクタ要素の平面図である。
【符号の説明】
【００４９】
１  電気的接続装置
２  被接続用コネクタ要素
３  開口部
４  被接続用端子
１１  接続端子
１２  接続用コネクタ要素
１３  カバー要素
１４  フェライト部材
１４ｃ  肩部
２０  収納部
２１  外周壁
２３  可撓部
２４  ロック部
２４ａ  テーパ状部分
３３  周壁
３９  凸部
【図１】
2005100670.tif 000003
【図２】
2005100670.tif 000004
【図３】
2005100670.tif 000005
【図４】
2005100670.tif 000006
【図５】
2005100670.tif 000007
【図６】
2005100670.tif 000008
【図７】
2005100670.tif 000009
【図８】
2005100670.tif 000010
【図９】
2005100670.tif 000011
【図１０】
2005100670.tif 000012
【図１１】
2005100670.tif 000013
【図１２】
2005100670.tif 000014
【図１３】
2005100670.tif 000015